(57)【要約】【課題】白黒２値又は多値で出力して、カラー用トナーの無駄な消費を抑えつつ、原稿で赤色修正された文字部分又は捺印部分を原稿通りの色で出力できる、画像処理方法，該画像処理方法を実行する画像処理装置，該画像処理装置を備える画像形成装置及びコンピュータに前記画像処理装置として機能させるコンピュータプログラムを提供する。【解決手段】画像入力部１１で取得したカラー画像のＲＧＢ信号に基づき、任意の領域を構成する画素を領域分離処理部２４で抽出し、抽出した画素が有彩色の文字を含む色文字領域であるか否かを領域分離処理部２４で判定して判定結果に応じた領域分離信号を生成し、生成された領域分離信号が有彩色の文字領域を示す場合、２色変換部３０でＲＧＢ信号を設定色情報に基づくＣＭＹＫ信号に変換し、それ以外の場合、２色変換部３０でＲＧＢ信号に応じたＣＭＹＫ信号に変換する。【選択図】図１
2008022357.tif 000002
【特許請求の範囲】
【請求項１】
取得したカラー画像の色情報を、白黒の第１色情報又は白黒以外の単色の第２色情報に変換し、該第１及び第２色情報からなる２色画像を出力する画像処理方法において、
前記カラー画像から有彩色の文字を含む色文字領域を識別し、識別した色文字領域の色情報を前記第２色情報に変換し、前記色文字領域以外の領域の色情報を前記第１色情報に変換することを特徴とする画像処理方法。
【請求項２】
取得したカラー画像の色情報を、白黒の第１色情報又は白黒以外の単色の第２色情報に変換し、該第１及び第２色情報からなる２色画像を出力する画像処理方法において、
前記カラー画像から任意の領域を抽出するステップと、
抽出した領域が有彩色の文字を含む色文字領域であるか否かを判定する判定ステップと、
前記判定ステップで、抽出した領域が色文字領域に該当すると判定した場合、該領域の色情報を前記第２色情報に変換するステップと、
前記判定ステップで、抽出した領域が色文字領域に該当しないと判定した場合、該領域の色情報を前記第１色情報に変換するステップと
を含むことを特徴とする画像処理方法。
【請求項３】
前記第２色情報は、入力を受け付けることを特徴とする請求項１又は２に記載の画像処理方法。
【請求項４】
前記第２色情報は、予め設定してあることを特徴とする請求項１又は２に記載の画像処理方法。
【請求項５】
カラー画像を取得する手段と、取得したカラー画像の色情報を、白黒の第１色情報又は白黒以外の単色の第２色情報に変換する手段と、変換した第１及び第２色情報からなる２色画像を出力する手段とを備える画像処理装置において、
前記カラー画像から有彩色の文字を含む色文字領域を識別する手段と、
識別した色文字領域の色情報を前記第２色情報に変換する手段と、
前記色文字領域以外の領域の色情報を前記第１色情報に変換する手段と
を備えることを特徴とする画像処理装置。
【請求項６】
カラー画像を取得する手段と、取得したカラー画像の色情報を、白黒の第１色情報又は白黒以外の単色の第２色情報に変換する手段と、変換した第１及び第２色情報からなる２色画像を出力する手段とを備える画像処理装置において、
前記カラー画像から任意の領域を抽出する手段と、
抽出した領域が有彩色の文字を含む色文字領域であるか否かを判定する判定手段と、
前記判定手段で、抽出した領域が色文字領域に該当すると判定した場合、該領域の色情報を前記第２色情報に変換する手段と、
前記判定手段で、抽出した領域が色文字領域に該当しないと判定した場合、該領域の色情報を前記第１色情報に変換する手段と
を備えることを特徴とする画像処理装置。
【請求項７】
前記第２色情報を受け付ける手段を更に備えることを特徴とする請求項５又は６に記載の画像処理装置。
【請求項８】
前記第２色情報を記憶する手段を更に備えることを特徴とする請求項５又は６に記載の画像処理装置。
【請求項９】
請求項５乃至８のいずれかひとつに記載の画像処理装置と、
該画像処理装置が出力した２色画像に基づいて記録媒体に画像形成する画像形成手段と
を備えることを特徴とする画像形成装置。
【請求項１０】
コンピュータに、カラー画像を取得させ、取得させたカラー画像の色情報を、白黒の第１色情報又は白黒以外の単色の第２色情報に変換させ、変換させた第１及び第２色情報からなる２色画像を出力させるコンピュータプログラムにおいて、
コンピュータに、前記カラー画像から任意の領域を抽出させるステップと、
コンピュータに、抽出した領域が有彩色の文字を含む色文字領域であるか否かを判定させる判定ステップと、
コンピュータに、前記判定ステップで、抽出した領域が色文字領域に該当すると判定した場合、該領域の色情報を前記第２色情報に変換させるステップと、
コンピュータに、前記判定ステップで、抽出した領域が色文字領域に該当しないを判定した場合、該領域の色情報を前記第１色情報に変換させるステップと
を実行させることを特徴とするコンピュータプログラム。
【発明の詳細な説明】
【技術分野】
【０００１】
本発明は、取得したカラー画像を２色画像へ変換して出力する画像処理方法，その方法を実行する画像処理装置，その装置を備える画像形成装置及びコンピュータプログラムに関する。
【背景技術】
【０００２】
従来、カラー複写機において、原稿を読み取ってカラー画像を形成する「通常モード」の他、カラー画像のうち有彩色領域の色情報を所定の色情報に変換し、その他の領域の色情報を白黒の色情報に変換して出力する「２色画像モード」を備えるものがある。例えば、以下の如き、画像処理装置が提案されている。
【０００３】
従来提案の画像処理装置は、２色刷りの原稿の再現率を向上させるべく、取得した画像をＲＧＢ−ＨＳＬ変換し、カラー画像を２色画像に変換し、再度、ＨＳＬ−ＲＧＢ変換によりＲＧＢ形式の画像に戻し、出力するものがある（例えば、特許文献１）。
【０００４】
また、プリンタで用いるＣＭＹＫ系色のみならず、画像の色版数も抑えるべく、取得したＲＧＢ形式の画像を、ＣＭＹＫ系色又はＲＧＢ系色に識別し、識別した色を表現するのに最小限必要となる色版を判断し、判断した色版のみに基づき画像を形成して出力する従来提案の画像処理装置がある（例えば、特許文献２）。
【０００５】
更に、オートカラーセレクト（ＡＣＳ）により２色カラー処理を選択できるようにするべく、取得した画像に対して、ＡＣＳ処理を施してフルカラー画像又は白黒２階調画像のいずれであるかを判定し、フルカラー画像であると判定した場合、更に、所定の閾値以上の値を有する文字領域を有しているか否かを判定し、当該文字領域を有していると判定した場合、取得した画像をフルカラー画像又は２色画像のいずれかで出力の選択を受け付け、受け付けた選択に応じて、取得した画像を出力する従来提案の画像処理装置がある（例えば、特許文献３）。
【特許文献１】特開平１１−５５５３９号公報
【特許文献２】特開２００４−１５５０１５号公報
【特許文献３】特開２００４−２９７６１０号公報
【発明の開示】
【発明が解決しようとする課題】
【０００６】
しかしながら、特許文献１乃至３に記載された画像処理装置が有する２色画像モードは、文字又はそれ以外の画像の別を問わず有彩色領域であれば一律に所定の色情報に変換して出力するため、例えば、原稿で赤色修正された文字部分又は捺印部分のみを原稿通りの色で出力させたいといったユーザの細かい要望に応えることができないという問題がある。
【０００７】
さらに、当該２色画像モードは、文字以外の有彩色領域までカラー出力するため、カラー用トナーが無駄に消費されるという問題もある。
【０００８】
本発明はこのような事情に鑑みてなされたものであり、取得したカラー画像から識別した有彩色の文字を含む色文字領域の色情報のみを白黒以外の単色の色情報に変換し、色文字領域以外の領域の色情報を白黒の色情報に変換することにより、白黒２値又は多値で出力してカラー用トナーの無駄な消費を抑えつつ、例えば、原稿で赤色修正された文字部分又は捺印部分を原稿通りの色で出力することができる、画像処理方法，該画像処理方法を実行する画像処理装置，該画像処理装置を備える画像形成装置及びコンピュータに前記画像処理装置として機能させるコンピュータプログラムを提供することにある。
【０００９】
また、本発明の他の目的は、取得したカラー画像から識別した色文字領域の色情報を外部から受け付けた色情報に変換することにより、例えば、原稿で赤色修正された文字部分又は捺印部分をユーザが希望する色で出力できる、画像処理方法及び該画像処理方法を実行する画像処理装置を提供することにある。
【００１０】
また、本発明の他の目的は、取得したカラー画像から識別した色文字領域の色情報を予め設定してある色情報に変換することにより、例えば、原稿で赤色修正された文字部分又は捺印部分をユーザが悩むことなく最適に初期設定してある色で出力できる、画像処理方法及び該画像処理方法を実行する画像処理装置を提供することができる。
【課題を解決するための手段】
【００１１】
上記課題を解決するために本発明の画像処理方法にあっては、取得したカラー画像の色情報を、白黒の第１色情報又は白黒以外の単色の第２色情報に変換し、該第１及び第２色情報からなる２色画像を出力する画像処理方法において、前記カラー画像から有彩色の文字を含む色文字領域を識別し、識別した色文字領域の色情報を前記第２色情報に変換し、前記色文字領域以外の領域の色情報を前記第１色情報に変換することを特徴とする。
【００１２】
また、本発明の画像処理方法にあっては、取得したカラー画像の色情報を、白黒の第１色情報又は白黒以外の単色の第２色情報に変換し、該第１及び第２色情報からなる２色画像を出力する画像処理方法において、前記カラー画像から任意の領域を抽出するステップと、抽出した領域が有彩色の文字を含む色文字領域であるか否かを判定する判定ステップと、前記判定ステップで、抽出した領域が色文字領域に該当すると判定した場合、該領域の色情報を前記第２色情報に変換するステップと、前記判定ステップで、抽出した領域が色文字領域に該当しないと判定した場合、該領域の色情報を前記第１色情報に変換するステップとを含むことを特徴とする。
【００１３】
また、本発明に係る画像処理方法は、前記第２色情報は、入力を受け付けることを特徴とする。
【００１４】
また、本発明に係る画像処理方法は、前記第２色情報は、予め設定してあることを特徴とする。
【００１５】
また、本発明に係る画像処理装置は、カラー画像を取得する手段と、取得したカラー画像の色情報を、白黒の第１色情報又は白黒以外の単色の第２色情報に変換する手段と、変換した第１及び第２色情報からなる２色画像を出力する手段とを備える画像処理装置において、前記カラー画像から有彩色の文字を含む色文字領域を識別する手段と、識別した色文字領域の色情報を前記第２色情報に変換する手段と、前記色文字領域以外の領域の色情報を前記第１色情報に変換する手段とを備えることを特徴とする。
【００１６】
また、本発明に係る画像処理装置は、カラー画像を取得する手段と、取得したカラー画像の色情報を、白黒の第１色情報又は白黒以外の単色の第２色情報に変換する手段と、変換した第１及び第２色情報からなる２色画像を出力する手段とを備える画像処理装置において、前記カラー画像から任意の領域を抽出する手段と、抽出した領域が有彩色の文字を含む色文字領域であるか否かを判定する判定手段と、前記判定手段で、抽出した領域が色文字領域に該当すると判定した場合、該領域の色情報を前記第２色情報に変換する手段と、前記判定手段で、抽出した領域が色文字領域に該当しないと判定した場合、該領域の色情報を前記第１色情報に変換する手段とを備えることを特徴とする。
【００１７】
また、本発明に係る画像処理装置は、前記第２色情報を受け付ける手段を更に備えることを特徴とする。
【００１８】
また、本発明に係る画像処理装置は、前記第２色情報を記憶する手段を更に備えることを特徴とする
【００１９】
また、本発明に係る画像形成装置は、前述のいずれかひとつの画像処理装置と、該画像処理装置が出力した２色画像に基づいて記録媒体に画像形成する画像形成手段とを備えることを特徴とする。
【００２０】
また、本発明に係るコンピュータプログラムは、コンピュータに、カラー画像を取得させ、取得させたカラー画像の色情報を、白黒の第１色情報又は白黒以外の単色の第２色情報に変換させ、変換させた第１及び第２色情報からなる２色画像を出力させるコンピュータプログラムにおいて、コンピュータに、前記カラー画像から任意の領域を抽出させるステップと、コンピュータに、抽出した領域が有彩色の文字を含む色文字領域であるか否かを判定させる判定ステップと、コンピュータに、前記判定ステップで、抽出した領域が色文字領域に該当すると判定した場合、該領域の色情報を前記第２色情報に変換させるステップと、コンピュータに、前記判定ステップで、抽出した領域が色文字領域に該当しないを判定した場合、該領域の色情報を前記第１色情報に変換させるステップとを実行させることを特徴とする。
【００２１】
本発明にあっては、取得したカラー画像に対して、有彩色の文字を含む色文字領域及び該色文字領域以外の領域を識別し、識別した色文字領域の色情報のみを、白黒以外の単色の色情報に変換し、識別した色文字領域以外の領域の色情報は、白黒の色情報に変換して出力する。即ち、文字領域以外の領域及び無彩色の文字領域の色情報は、白黒の色情報に変換して出力する。
【００２２】
また、本発明にあっては、色情報を外部から受け付け、取得したカラー画像から識別した色文字領域の色情報を、受け付けた色情報に変換する。
【００２３】
更にまた、本発明にあっては、取得したカラー画像から識別した色文字領域の色情報を、色情報が最適に初期設定してある色情報に変換する。
【発明の効果】
【００２４】
本発明にあっては、白黒２値又は多値で出力してカラー用トナーの無駄な消費を抑えつつ、例えば、原稿で赤色修正された文字部分又は捺印部分を原稿通りの色で出力してユーザの細かい要望に応えることができる。
【００２５】
また、本発明にあっては、原稿で赤色修正された文字部分又は捺印部分をユーザが希望する色で出力できる。
【００２６】
また、本発明にあっては、取得前の原稿で赤色修正された文字部分又は捺印部分を、ユーザが悩むことなく、最適に初期設定してある色で出力できる。
【発明を実施するための最良の形態】
【００２７】
以下、本発明に係る画像処理方法、その方法を実行する画像処理装置、及び該画像処理装置を備える画像形成装置について実施の形態を示す図面に基づき説明する。図１は本発明に係る画像形成装置の構成を説明するブロック図、図２は本発明に係る画像処理装置が備える領域分離処理部の構成を説明するブロック図、図３は領域分離処理部が備える総合判定器の判定基準の一例を示す概念図、図４は本発明に係る画像処理装置が備える２色変換部の構成を説明するブロック図である。
【００２８】
図１の如く、画像形成装置は、画像入力部１１と、画像処理装置２０と、画像出力部１２とから構成されている。
【００２９】
画像入力部１１は、例えば、ＣＣＤ（Ｃｈａｒｇｅｄ  Ｃｏｕｐｌｅｄ  Ｄｅｖｉｃｅ）を備えたフラッドヘッドスキャナ、フィルムスキャナ、デジタルカメラ又は携帯電話機等が該当し、原稿のカラー画像からの反射光像をアナログのＲＧＢ信号として読み取り、読み取ったＲＧＢ信号を画像処理装置２０へ出力する。
【００３０】
また、画像出力部１２は、例えば、インクジェット方式又は電子写真方式のプリンタ装置が該当し、画像処理装置２０から受け付けたＣＭＹＫ信号からなるカラー画像又は２色画像を記録紙へ出力する。また、画像出力部１２は、プリンタ装置に限らず、ＣＲＴモニタ装置又は液晶モニタ装置であっても良い。この場合、モニタ装置にて処理出来るように、受け付けたＣＭＹＫ信号は、ＲＧＢ信号に変換され出力される。尚、画像出力部１２へ出力するカラー画像又は２色画像の選択は、操作部（図示せず、以下同じ）への入力を受け付けることにより行う。
【００３１】
画像処理装置２０は、画像入力部１１から取得したカラー画像の色情報であるＲＧＢ信号に本発明に係る画像処理を行い、処理されたＣＭＹＫ信号からなるカラー画像又は２色画像を画像出力部１２へ出力するＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）からなり、Ａ／Ｄ変換部２１と、シェーディング補正部２２と、入力階調補正部２３と、領域分離処理部２４と、画像圧縮処理部２５と、画像伸長処理部２６と、空間フィルタ処理部２７と、変倍処理部２８と、色補正部２９と、２色変換部３０と、黒生成下色除去部３１と、出力階調補正部３２と、階調再現処理部３３と、外部記憶装置３４と、これらの制御する制御部とから構成されている。
【００３２】
Ａ／Ｄ変換部２１は、画像入力部１１から取得したカラー画像のアナログのＲＧＢ信号を１０ビットのデジタル信号に変換し、変換したＲＧＢ信号をシェーディング補正部２２へ出力する。
【００３３】
シェーディング補正部２２は、Ａ／Ｄ変換部２１から受け付けたＲＧＢ信号に対して、画像入力部１１の照明系、結像系又は撮像系などで発生した歪みを除去する補正処理を行い、処理したＲＧＢ信号を入力階調補正部２３へ出力する。
【００３４】
入力階調補正部２３は、シェーディング補正部２２から受け付けたＲＧＢ信号に対して、カラーバランスを整える処理を行うと共に、ＲＧＢ信号を１０ビットから８ビットへ変換し、変換した８ビットのＲＧＢ信号を領域分離処理部２４へ出力する。
【００３５】
領域分離処理部２４は、入力階調補正部２３から受け付けた８ビットのＲＧＢ信号に基づき、取得したカラー画像から任意の領域を構成する画素を抽出し、抽出した注目画素が、有彩色の文字領域、無彩色の文字領域、網点領域及びその他の画像領域の何れに属しているかを判定し、判定結果に応じて、当該画素がいずれの領域に属するかを示す領域分離信号を生成し、生成した領域分離信号を前記８ビットのＲＧＢ信号と共に画像圧縮処理部２５へ出力する。領域分離処理部２４は、文字エッジ判定器２４１と、有彩無彩色判定器２４２と、網点判定器２４３と、総合判定器２４４とから構成されている。
【００３６】
文字エッジ判定器２４１は、入力階調補正部２３から受け付けた８ビットのＲＧＢ信号に基づき、取得したカラー画像から任意の領域としてＭ×Ｍの画素マスクを抽出し、抽出した画素マスクの注目画素とその近傍画素との濃度差絶対値を夫々算出していき、算出した濃度差絶対値に所定の閾値以上が一つでも存在する場合、注目画素はエッジ画素であると判定してエッジ画素であることを示すエッジ判定信号を生成し、総合判定器２４４へ出力する。尚、本実施の形態では、エッジ画素である場合はエッジ判定信号を１とし、エッジ画素でない場合はエッジ判定信号を０として扱う。また、前記判定は、注目画素とその近傍画素との濃度差絶対値に基づいているが、これに限らず、エッジ検出フィルタを用いるようにしても良い。
【００３７】
有彩無彩色判定器２４２は、入力階調補正部２３から受け付けた８ビットのＲＧＢ信号に基づき、取得したカラー画像から任意の領域としてＭ×Ｍの画素マスクを抽出し、抽出した画素マスクの注目画素夫々のＲＧＢ信号の最大値及び最小値を検出し、検出した両値の差分を算出し、算出した差分が所定の閾値未満である場合、注目画素は無彩色であると判定し、他方、差分が所定の閾値以上である場合、注目画素は有彩色であると判定して有彩無彩色判定信号を総合判定器２４４へ出力する。尚、本実施の形態では、注目画素が無彩色である場合は有彩無彩色判定信号を１とし、注目画素が有彩色である場合は有彩無彩色信号を０として扱う。
【００３８】
網点判定器２４３は、入力階調補正部２３から受け付けた８ビットのＲＧＢ信号に基づき、取得したカラー画像から任意の領域としてＭ×Ｍの画素マスクを抽出し、抽出した画素マスクの注目画素夫々に対して、最大濃度値Ｄｍａｘと、最小濃度値Ｄｍｉｎと、平均濃度値Ｄａｖｅとを算出し、算出した平均濃度値Ｄａｖｅに基づきＭ×Ｍの画素マスクを二値化し、二値化したデータに対して、主走査方向及び副走査方向での０から１への変化点の数Ｋｒ（又は値１から値０への変化点の数Ｋｖ）を算出し、Ｄｍａｘ，Ｄｍｉｎ，Ｋｒ及びＫｖのいずれもが所定の閾値以上である場合、注目画素は網点領域と判定し、それ以外は、注目画素は非網点領域であると判定して、判定結果に応じて、網点判定信号を生成し、生成した信号を総合判定器２４４へ出力する。尚、本実施の形態では、注目画素が網点領域である場合は網点判定信号を１とし、注目画素が非網点領域である場合は網点判定信号を０として扱う。
【００３９】
総合判定器２４４は、上述の如く、文字エッジ判定器２４１、有彩無彩色判定器２４２及び網点判定器２４３から判定信号を受け付け、受け付けた判定信号に基づき、注目画素が、有彩色の文字領域、無彩色の文字領域、網点領域及びその他の画像領域の何れに属しているかを判定し、判定結果に応じて当該画素がいずれの領域に属するかを示す領域分離信号を生成し、生成した信号を前記８ビットのＲＧＢ信号と共に画像圧縮処理部２５へ出力する。
【００４０】
ここで、総合判定器２４４が行う判定基準について説明する。図３の如く、総合判定器２４４は、受け付けた文字エッジ判定信号が１で、有彩無彩色判定信号が０で、網点判定信号が０である場合、注目画素は有彩色の文字を含む色文字領域に属していると判定し、判定結果に応じた領域分離信号を生成し、生成した信号を前記８ビットのＲＧＢ信号と共に画像圧縮処理部２５へ出力する。例えば、領域分離信号は、判定信号を並べた「１００」を２進表現とみなして１０進表現に変換し、値を４として生成される。
【００４１】
その他、総合判定器２４４は、受け付けた文字エッジ判定信号が１で、有彩無彩色判定信号が１で、網点判定信号が０である場合、注目画素は無彩色の文字領域に属していると判定し、判定結果に応じた領域分離信号（値は２進表現「１１０」の１０進表現である６）を生成し、また、文字エッジ判定信号が０（又は１）で、有彩無彩色判定信号が０（又は不問）で、網点判定信号が１（又は１）である場合、注目画素は網点領域に属していると判定し、判定結果に応じた領域分離信号（値は２進表現「００１」の１０進表現である１）を生成し、更にまた、文字エッジ判定信号が０で、有彩無彩色判定信号が不問で、網点判定信号が０である場合、注目画素をその他の領域であると判定し、判定結果に応じた領域分離信号（値は２進表現「０００」の１０進表現である０）を生成し、生成した領域分離信号を前記８ビットのＲＧＢ信号と共に画像圧縮処理部２５へ出力する。
【００４２】
画像圧縮処理部２５は、領域分離処理部２４から受け付けた８ビットのＲＧＢ信号に対して、例えばＪＰＥＧ（Ｊｏｉｎｔ  Ｐｈｏｔｏｇｒａｐｈｉｃ  Ｉｍａｇｅ  Ｅｘｐｅｒｔｓ  Ｇｒｏｕｐ）などの非可逆圧縮を行うと共に、同じく領域分離処理部２４から受け付けた領域分離信号に対して、例えばＭＭＲ（Ｍｏｄｉｆｉｅｄ  Ｍｏｄｉｆｉｅｄ  ＲＥＡＤ）圧縮などの可逆圧縮を行い、夫々を圧縮データとして外部記憶装置３４へ出力する。
【００４３】
外部記憶装置３４は、例えば、ハードディスクが該当し、画像圧縮処理部２５から受け付けた圧縮データを記憶し、制御部（図示せず、以下同じ）の指示に応じて記憶領域から圧縮データを読み出す。外部記憶装置３４は、第２色情報として予め初期設定してある色情報を記憶している。
【００４４】
画像伸長処理部２６は、外部記憶装置３４から受け付けた圧縮データに対して、伸長処理を行い、伸長したＲＧＢ信号を空間フィルタ処理部２７へ画素毎に出力する。また、画像伸長処理部２６は、画素毎に領域分離信号をＲＧＢ信号に同期させ、同期させた領域分離信号を、空間フィルタ処理部２７，２色変換部３０，黒生成下色除去部３１及び階調再現処理部３３へ出力する。
【００４５】
空間フィルタ処理部２７は、画像伸長処理部２６から受け付けたＲＧＢ信号に対して、ＲＧＢ信号に同期する領域分離信号に応じて、デジタルフィルタによる空間フィルタ処理を行い、画像の空間周波数特定を補正し、補正したＲＧＢ信号を変倍処理部２８へ出力する。例えば、空間フィルタ処理部２７は、領域分離信号が有彩色又は無彩色の文字領域を示す場合、同期するＲＧＢ信号に対して、鮮鋭強調処理を行い高周波成分を強調する。これにより、文字領域は、文字の再現性が向上する。また、空間フィルタ処理部２７は、領域分離信号が網点領域を示す場合、同期するＲＧＢ信号に対して、ローパスフィルタ処理を行い入力網点成分を除去する。これにより、画像出力部１２による出力画像は、ぼやけ又は粒状性劣化が防止される。
【００４６】
変倍処理部２８は、空間フィルタ処理部２７から受け付けたＲＧＢ信号に対して、出力画像が所定倍率になるように拡大演算処理又は縮小演算処理を行い、処理したＲＧＢ信号を色補正部２９又は２色変換部３０へ出力する。例えば、カラー画像として出力する場合は、処理したＲＧＢ信号を色補正部２９へ出力し、２色画像として出力する場合は、処理したＲＧＢ信号を２色変換部３０へ出力する。
【００４７】
色補正部２９は、変倍処理部２８から受け付けたＲＧＢ信号をＣＭＹの色空間に変換し、更に画像出力部１２の特性に応じた色補正を行い、補正したＣＭＹ信号を黒生成下色除去部３１へ出力する。
【００４８】
黒生成下色除去部３１は、色補正部２９から受け付けたＣＭＹ信号に基づき、Ｋ（黒色）信号を生成し、生成したＫ信号を含むＣＭＹＫ信号を更に生成し、生成したＣＭＹＫ信号を出力階調補正部３２へ出力する。例えば、黒生成下色除去部３１は、スケルトンブラックによる黒生成を行う場合、スケルトンブラックの入出力特性をｙ＝ｆ（ｘ）としておき、色補正部２９から受け付けたＣＭＹ信号をＣ（藍色）とＭ（深紅色）とＹ（黄色）とに分け、出力階調補正部３２へ出力する信号をＣ’とＭ’とＹ’とＫ’とに分け、ＵＣＲ（Ｕｎｄｅｒ  Ｃｏｌｏｒ  Ｒｅｍｏｖａｌ）率をα（０＜α＜１）とした場合、出力階調補正部３２へ出力するＣＭＹＫ信号を、Ｋ’＝ｆ｛ｍｉｎ（Ｃ，Ｍ，Ｙ）｝，Ｃ’＝Ｃ−αＫ’，Ｍ’＝Ｍ−αＫ’，Ｙ’＝Ｙ−αＫ’で示す。
【００４９】
２色変換部３０は、画素毎に、変倍処理部２８からＲＧＢ信号を受け付け、画像伸長処理部２６からＲＧＢ信号に同期する領域分離信号を受け付け、受け付けた領域分離信号に応じてＲＧＢ信号に順次所定の処理を施し、処理において生成されたＣＭＹＫ信号を出力階調補正部３２へ出力する。２色変換部３０は、文字判定器３０１と、カラー判定器３０２と、白黒変換器３０３と、カラー変換器３０４と、信号選択器３０５とから構成されている。
【００５０】
文字判定器３０１は、変倍処理部２８から受け付けたＲＧＢ信号に同期する領域分離信号が文字領域に属する旨を示しているか否か（即ち、値が４又は６であるか否か）を画素毎に判定していき、文字領域に属する旨を示していると判定した場合、当該ＲＧＢ信号に対するフラグ信号Ｔを１として生成し、ＲＧＢ信号及び領域分離信号と共に、生成したフラグ信号Ｔをカラー判定器３０２へ出力し、他方、示していないと判定した場合、当該ＲＧＢ信号に対するフラグ信号Ｔを０として生成し、ＲＧＢ信号及び領域分離信号と共に、生成したフラグ信号Ｔを白黒変換器３０３へ出力する。尚、前記判定方法に限らず、ＲＧＢ信号の値による判定方法であってもよく、例えば、受け付けたＲＧＢ信号のうち少なくとも一つの値が第１の閾値である５０以上であって、かつ（｜Ｒ−Ｇ｜，｜Ｇ−Ｂ｜，｜Ｂ−Ｒ｜）の各相対差のうち、少なくとも一つの値が第２の閾値である５＋２５５／ＭＡＸ（Ｒ、Ｇ，Ｂ）（但し、ＭＡＸ（  ）は引数のうち最大値を返す）以上であるか否かを判定し、判定結果に応じて、フラグ信号Ｃを１として生成しても良い。
【００５１】
カラー判定器３０２は、文字判定器３０１から受け付けた領域分離信号が有彩色領域に属する旨を示しているか否か（即ち、値が４であるか否か）を画素毎に判定していき、有彩色領域に属する旨を示していると判定した場合、当該ＲＧＢ信号の画素に対するフラグ信号Ｃを１として生成し、ＲＧＢ信号、領域分離信号及びフラグ信号Ｔと共に、生成したフラグ信号Ｃをカラー変換器３０４へ出力し、他方、示していないと判定した場合、当該ＲＧＢ信号の画素に対するフラグ信号Ｃを０として生成し、当該ＲＧＢ信号、領域分離信号及びフラグ信号Ｔと共に、生成したフラグ信号Ｃを白黒変換器３０３へ出力する。
【００５２】
白黒変換器３０３は、文字判定器３０１又はカラー判定器３０２から受け付けたＲＧＢ信号をＫ信号に変換して信号選択器３０５へ出力する。ＲＧＢ信号をＫ信号に変換する方法は、Ｋ＝２５５−Ｇとするなど、様々である。例えば、白黒変換器３０３は、Ｒ値及びＧ値のうち大なるをＡ１として抽出し、Ｇ値及びＢ値のうち大なるをＡ２として抽出し、Ｒ値及びＢ値のうち大なるをＡ３として抽出し、Ａ１値及びＡ２値のうち小なるをＡ４として抽出し、Ａ２値及びＡ３値のうち小なるをＡ５として抽出し、Ａ４値及びＡ５値のうち小なるをＡ６として抽出し、Ｋ＝２５５−Ａ６を算出し、算出したＫ信号に変換して信号選択器３０５へ出力する。
【００５３】
カラー変換器３０４は、カラー判定器３０２から受け付けたＲＧＢ信号を外部記憶装置３４に記憶してある設定色情報に基づくＣＭＹ信号に変換して信号選択器３０５へ出力する。ＲＧＢ信号をＣＭＹ信号に変換する方法は、マトリックス演算又は３次元のルックアップテーブルを用いるなど、様々である。例えば、カラー変換器３０４は、外部記憶装置３４に記憶してある設定色情報であるＲ’Ｇ’Ｂ’信号を読み出す。読み出したＲ’Ｇ’Ｂ’信号から、Ｒ’Ｇ’Ｂ’の値のうち最大値をＭｘとし、Ｒ’Ｇ’Ｂ’の値のうち最小値をＭｎとし、下式を算出する。
【００５４】
Ｃｏ＝（７６×（Ｒ’−Ｍｎ）＋１５１×（Ｇ’−Ｍｎ）＋２９×（Ｂ’−Ｍｎ））／（Ｍｘ−Ｍｎ）
Ｒ１＝１２８×Ｒ’／Ｍｘ
Ｇ１＝１２８×Ｇ’／Ｍｘ
Ｂ１＝１２８×Ｂ’／Ｍｘ
但し、Ｃｏは計算で用いる値、Ｒ１は計算で用いるＲ信号に関する値、Ｇ１は計算で用いるＧ信号に関する値、及びＢ１は計算で用いるＢ信号に関する値である。
【００５５】
カラー変換器３０４は、受け付けたＲ’Ｇ’Ｂ’信号からＲ’Ｇ’Ｂ’の最大値及び最小値の差を彩度Ｓとし、下式を算出する。
【００５６】
Ｌ＝（ＬＲ×Ｒ’＋ＬＧ×Ｇ’＋ＬＢ×Ｂ’）／３２
但し、Ｌは輝度であり、ＬＲ、ＬＧ及びＬＢは任意の係数であり、画像入力部１１のＣＣＤの特性に基づき設定すれば良い。
【００５７】
カラー変換器３０４は、以下の条件に基づき、値Ｖを求める。
【００５８】
Ｖ＝０：（２５６×Ｌ−Ｃｏ×Ｓ）／２５６＜０
Ｖ＝２５５−Ｓ：（２５６×Ｌ−Ｃｏ×Ｓ）／２５６＋Ｓ＞２５５
Ｖ＝（２５６×Ｌ−Ｃｏ×Ｓ）／２５６：上記以外
【００５９】
そして、カラー変換器３０４は、以上の値を下式に代入することにより、ＣＭＹ信号の値を算出し、算出した値のＣＭＹ信号を生成して信号選択器３０５へ出力する。
【００６０】
Ｃ＝２５５−Ｖ−Ｒ１×Ｓ／１２８
Ｍ＝２５５−Ｖ−Ｇ１×Ｓ／１２８
Ｙ＝２５５−Ｖ−Ｂ１×Ｓ／１２８
【００６１】
信号選択器３０５は、白黒変換器３０３から受け付けたＫ信号及びカラー変換器３０４から受け付けたＣＭＹ信号に基づきＣＭＹＫ信号を生成し、全ての画素に対する処理が終了した時点で、全画素のＣＭＹＫ信号を出力階調補正部３２へ出力する。
【００６２】
出力階調補正部３２は、例えば、カラー画像として出力する場合は黒生成下色除去部３１から受け付けたＣＭＹＫ信号に対するか、また、２色画像として出力する場合は２色変換部３０から受け付けたＣＭＹＫ信号に対して、網点面積率を画像出力部１２の特性値に応じて変換する出力階調補正処理を行い、処理したＣＭＹＫ信号を階調再現処理部３３へ出力する。
【００６３】
階調再現処理部３３は、画素毎に出力階調補正部３２からＣＭＹＫ信号を受け付け、画像伸長処理部２６から同期する領域分離信号を受け付け、受け付けた領域分離信号に応じてＣＭＹＫ信号に順次所定の処理を行い、処理したＣＭＹＫ信号を外部記憶装置３４又はＲＡＭ（図示せず、以下同じ）へ出力する。外部記憶装置３４等は、受け付けたＣＭＹＫ信号を記憶しておき、制御部による画像形成指示に応じて画像出力部１２へ出力する。例えば、階調再現処理部３３は、領域分離信号が有彩色又は無彩色の文字領域を示す場合、同期するＣＭＹＫ信号に対して、画像出力部１２による高周波成分再現に最適な二値化処理又は多値化処理を行う。これにより、文字領域は、文字の再現性が向上する。また、階調再現処理部３３は、領域分離信号が網点領域を示す場合、同期するＣＭＹＫ信号に対して、画像出力部１２による階調再現に最適な二値化処理又は多値化処理を行う。
【００６４】
次に、本発明に係る画像処理装置２０がカラー画像から２色画像への変換処理をする手順について説明する。図５は本発明に係る画像処理装置の変換処理の手順を説明するフローチャートである。
【００６５】
画像処理装置２０の制御部は、領域分離処理部２４に、取得したカラー画像から任意の領域としてＭ×Ｍの画素マスクを抽出させ、抽出させた画素マスクの注目画素が、有彩色の文字領域、無彩色の文字領域、網点領域及びその他の画像領域の何れに属しているのかを判定させ、判定結果に応じた領域分離信号を生成させ、生成させた領域分離信号を注目画素のＲＧＢ信号と共に、画像圧縮処理部２５を介して画像伸長処理部２６へ出力させる。
【００６６】
更に、制御部は、画像伸長処理部２６に、伸長させたＲＧＢ信号を空間フィルタ処理部２７及び変倍処理部２８を介して２色変換部３０へ画素毎に出力させる。また、制御部は、画像伸長処理部２６に、画素毎に領域分離信号をＲＧＢ信号に同期させ、同期させた領域分離信号を、空間フィルタ処理部２７、２色変換部３０、黒生成下色除去部３１及び階調再現処理部３３へ出力させる。
【００６７】
制御部は、画像伸長処理部２６から領域分離信号を受け付けた場合（Ｓ１０１）、文字判定器３０１に、受け付けた領域分離信号に対して後述する文字判定処理を実行させ（Ｓ１０２）、当該処理により出力させたフラグ信号Ｔが１であるか否かを判定し（Ｓ１０３）、フラグ信号Ｔが１でないと判定した場合（Ｓ１０３でＮＯ）、白黒変換器３０３に、後述する白黒変換処理を実行させ（Ｓ１０６）、Ｋ信号を信号選択器３０５へ出力させる。
【００６８】
他方、制御部は、フラグ信号Ｔが１であると判定した場合（Ｓ１０３でＹＥＳ）、カラー判定器３０２に、受け付けた領域分離信号に対して後述するカラー判定処理を実行させ（Ｓ１０４）、当該処理により出力させたフラグ信号Ｃが１であるか否かを判定し（Ｓ１０５）、フラグ信号Ｃが１でないと判定した場合（Ｓ１０５でＮＯ）、白黒変換器３０３に、後述する白黒変換処理を実行させ（Ｓ１０６）、Ｋ信号を信号選択器３０５へ出力させる。
【００６９】
他方、制御部は、フラグ信号Ｃが１であると判定した場合（Ｓ１０５でＹＥＳ）、カラー変換器３０４に、後述するカラー変換処理を実行させ（Ｓ１０７）、ＣＭＹ信号を信号選択器３０５へ出力させる。
【００７０】
そして、制御部は、信号選択器３０５に、前記処理が全画素に対して処理されたか否かを判定させ（Ｓ１０８）、処理されていないと判定させた場合（Ｓ１０８でＮＯ）、ステップＳ１０１へ戻り、次画素に対して前記処理を繰り返す。
【００７１】
他方、制御部は、信号選択器３０５に、処理されたと判定させた場合（Ｓ１０８でＹＥＳ）、白黒変換器３０３から受け付けたＫ信号、及びカラー変換器３０４から受け付けたＣＭＹ信号に基づくＣＭＹＫ信号を生成させ、生成させたＣＭＹＫ信号を画像データとして出力階調補正部３２へ出力させる（Ｓ１０９）。
【００７２】
次に、文字判定器３０１が文字判定処理をする手順について説明する。図６は文字判定処理の手順を説明するフローチャートである。
【００７３】
文字判定器３０１は、画像伸長処理部２６から受け付けた領域分離信号が、文字領域に属する旨を示しているか否かを判定し（Ｓ２０１）、示していると判定した場合（Ｓ２０１でＹＥＳ）、フラグ信号Ｔを１として生成する（Ｓ２０２）。
【００７４】
他方、文字判定器３０１は、示していないと判定した場合（Ｓ２０１でＮＯ）、フラグ信号Ｔを０として生成する（Ｓ２０３）。
【００７５】
そして、文字判定器３０１は、ＲＧＢ信号及び領域分離信号と共に、生成したフラグ信号Ｔをカラー判定器３０２へ出力する（Ｓ２０４）。
【００７６】
次に、カラー判定器３０２がカラー判定処理をする手順について説明する。図７はカラー判定処理の手順を説明するフローチャートである。
【００７７】
カラー判定器３０２は、文字判定器３０１から受け付けた領域分離信号が、有彩色領域に属する旨を示しているか否かを判定し（Ｓ３０１）、示していると判定した場合（Ｓ３０１でＹＥＳ）、フラグ信号Ｃを１として生成する（Ｓ３０２）。
【００７８】
他方、カラー判定器３０２は、示していないと判定した場合（Ｓ３０１でＮＯ）、フラグ信号Ｃを０として生成する（Ｓ３０３）。
【００７９】
そして、カラー判定器３０２は、ＲＧＢ信号、領域分離信号及びフラグ信号Ｔと共に、生成したフラグ信号Ｃをカラー変換器３０４へ出力する（Ｓ３０４）。
【００８０】
次に、白黒変換器３０３が白黒変換処理をする手順について説明する。図８は白黒変換処理の手順を説明するフローチャートである。
【００８１】
白黒変換器３０３は、文字判定器３０１又はカラー判定器３０２から受け付けたＲＧＢ信号をＫ信号に変換し（Ｓ４０１）、変換したＫ信号を信号選択器３０５へ出力する（Ｓ４０２）。
【００８２】
次に、カラー変換器３０４がカラー変換処理をする手順について説明する。図９はカラー変換処理の手順を説明するフローチャートである。
【００８３】
カラー変換器３０４は、カラー判定器３０２からＲＧＢ信号を受け付けた場合、外部記憶装置３５に記憶してある設定色情報を読み出し（Ｓ５０１）、受け付けたＲＧＢ信号を設定色情報に基づくＣＭＹ信号に変換し（Ｓ５０２）、変換したＣＭＹ信号を信号選択器３０５へ出力する（Ｓ５０３）。
【００８４】
次に、上述した処理手順について、具体的なＲＧＢ信号値を用いた実施例で説明する。尚、本実施例では、ＲＧＢ信号は、８ビットであるから０から２５５までの値で示される。
【００８５】
例えば、２色変換部３０が、Ｒが１０，Ｇが１３，Ｂが９のＲＧＢ信号、及び同期する６の領域分離信号（即ち、黒色、無彩色の文字領域）を受け付けた場合は、以下の通りである。画像処理装置２０の制御部は、領域分離信号が６であるから、文字判定器３０１にフラグ信号Ｔを０として生成させ、受け付けたＲＧＢ信号及び領域分離信号と共に、生成させたフラグ信号Ｔをカラー判定器３０２へ出力させる。
【００８６】
制御部は、文字判定器３０１から受け付けた領域分離信号が４でないことから、カラー判定器３０２にフラグ信号Ｃを０として生成させ、ＲＧＢ信号，領域分離信号及びフラグ信号Ｔと共に、生成させたフラグ信号Ｃを白黒変換器３０３及びカラー変換器３０４へ出力させる。尚、上述した他の判定方法でも、ＲＧＢいずれの値も第１の閾値未満であることから、フラグ信号Ｃは０である。
【００８７】
そして、制御部は、白黒変換器３０３に前記ＲＧＢ信号をＫ信号に変換させ、信号選択器３０５へ出力させる。白黒変換器３０３は、前記式によると、Ａ１＝１３，Ａ２＝１３，Ａ３＝１０，Ａ４＝１３，Ａ５＝１０，Ａ６＝１０，Ｋ＝２４５になるから、Ｋ＝２４５のＫ信号を信号選択器３０５へ出力する。
【００８８】
他方、制御部は、フラグ信号Ｔ及びＣが０であるから、カラー変換器３０４にＣＭＹ＝０のＣＭＫ信号を生成させ、信号選択器３０５へ出力させる。
【００８９】
また、例えば、２色変換部３０が、Ｒが１２，Ｇが９，Ｂが２４０のＲＧＢ信号、及び同期する４の領域分離信号（即ち、青色，有彩色の文字領域）を受け付けた場合は、以下の通りである。画像処理装置２０の制御部は、領域分離信号が４であるから、文字判定器３０１にフラグ信号Ｔを１として生成させ、受け付けたＲＧＢ信号及び領域分離信号と共に、生成させたフラグ信号Ｔをカラー判定器３０２へ出力させる。
【００９０】
制御部は、文字判定器３０１から受け付けた領域分離信号が４であることから、カラー判定器３０２に、フラグ信号Ｃを１として生成させ、ＲＧＢ信号，領域分離信号及びフラグ信号Ｔと共に、生成させたフラグ信号Ｃを白黒変換器３０３及びカラー変換器３０４へ出力させる。尚、上述した他の判定方法でも、ＲＧＢ信号は、Ｂ値が第１の閾値以上であり、かつＲＧＢの各相対差がＲ−Ｇ＝３，Ｂ−Ｇ＝２３１，Ｂ−Ｒ＝２２８であって、少なくとも１つが第２の閾値５＋２５５／２４０＝６，０６２５であって６以上であることから、フラグ信号Ｃは１である。
【００９１】
制御部は、フラグ信号Ｔ及びＣが１であるから、有彩色の文字領域を設定色情報（例えば、赤色、Ｒ’＝２５５、Ｇ’＝０、Ｂ’＝０）が示す色で出力するべく、白黒変換器３０３に設定色情報であるＲ’Ｇ’Ｂ’信号を外部記憶装置３４から読み出させ、読み出したＲ’Ｇ’Ｂ’信号をＫ信号に変換させ、信号選択器３０５へ出力させる。白黒変換器３０３は、前記式によると、Ａ１＝２５５，Ａ２＝０，Ａ３＝２５５，Ａ４＝０，Ａ５＝０，Ａ６＝０になるから、Ｋ＝２５５のＫ信号を信号選択器３０５へ出力する。
【００９２】
他方、制御部は、同様に、カラー変換器３０４に設定色情報であるＲ’Ｇ’Ｂ’信号を外部記憶装置３４から読み出させ、読み出したＲ’Ｇ’Ｂ’信号からＣＭＹ信号を形成し、信号選択器３０５へ出力させる。カラー変換器３０４は、前記式によると（但し、小数点以下は切り捨て、係数ＬＲ＝１０、ＬＧ＝１０、ＬＢ＝１２とする）、Ｍｘ＝２５５、Ｍｎ＝０、Ｃｏ＝７６、Ｒ１＝１２８、Ｇ１＝０、Ｂ１＝０、彩度Ｓ＝２５５、輝度Ｌ≒８、Ｖ＝０となるから、Ｃが０、Ｍが２５５、Ｙが２５５のＣＭＹ信号を形成させ、信号選択器３０５へ出力させる。
【００９３】
更にまた、例えば、２色変換部３０が、Ｒが２００，Ｇが１４８，Ｂが１１０のＲＧＢ信号、及び同期する１の領域分離信号（即ち、網点写真の一部）を受け付けた場合は、以下の通りである。画像処理装置２０の制御部は、領域分離信号が１であるから、文字判定器３０１にフラグ信号Ｔを０として生成させ、受け付けたＲＧＢ信号及び領域分離信号と共に、生成させたフラグ信号Ｔをカラー判定器３０２へ出力させる。
【００９４】
制御部は、文字判定器３０１から受け付けた領域分離信号が１であることから、カラー判定器３０２に、フラグ信号Ｃを１として生成させ、ＲＧＢ信号，領域分離信号及びフラグ信号Ｔと共に、生成したフラグ信号Ｃを白黒変換器３０３及びカラー変換器３０４へ出力させる。尚、上述した他の判定方法でも、ＲＧＢ信号は、ＲＧＢ値のいずれもが第１の閾値以上であり、かつＲＧＢの各相対差がＲ−Ｇ＝５２，Ｂ−Ｇ＝３８，Ｒ−Ｂ＝９０であって、２つが第２の閾値５＋２５５／２００＝６，２７５であって６以上であることから、フラグ信号Ｃは１である。
【００９５】
そして、制御部は、白黒制御部３０３に前記ＲＧＢ信号のＫ信号に変換させ、信号選択器３０５へ出力させる。白黒変換器３０３は、前記式によると、Ａ１＝２００，Ａ２＝１４８,Ａ３＝２００,Ａ４＝１４８,Ａ５＝１４８,Ａ６＝１４８,Ｋ＝１０７になるから、Ｋ＝１０７のＫ信号を信号選択器３０５へ出力する。
【００９６】
他方、制御部は、フラグ信号Ｔのみが１であるから、有彩色の文字領域を設定色情報が示す色で出力せずに、カラー変換器３０４にＣＭＹ＝０のＣＭＫ信号を生成させ、信号選択器３０５へ出力させる。
【００９７】
以上、信号選択器３０５は、白黒変換器３０３から受け付けたＫ信号、及びカラー変換器３０４から受け付けたＣＭＹ信号に基づきＣＭＹＫ信号を生成し、全ての画素に対する処理が終了した時点で、ＣＭＹＫ信号を画像データとして出力階調補正部３２へ出力する。
【００９８】
尚、上述した実施の形態では、画像処理装置２０は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）からなるとした例を示したが、これに限らず、汎用性の高いコンピュータを用いても良い。この場合、コンピュータは、コンピュータに画像処理装置として実行させるコンピュータプログラムを記憶した可搬式記録媒体から当該プログラムを読み取る読取装置と、当該プログラム等を記憶しておくハードディスクと、当該プログラムを実行する際に生ずるデータを一時的に記憶するＲＡＭと、当該プログラムに基づき処理を行うＣＰＵとを備えるようにする。尚、コンピュータは、画像処理装置２０が実行する全ての処理をＣＰＵで演算するのみならず、２色変換部３０が実行する変換処理のみを演算するようにしても良い。
【００９９】
また、上述した実施の形態では、画像入力部１１を介してカラー画像を受け付ける例を示したが、これに限らず、画像形成装置をインターネット等のネットワークに接続し、接続したネットワークを介してカラー画像を受け付けるようにしても良い。
【０１００】
また、上述した実施の形態では、画像処理装置２０は、ＲＧＢの色空間に基づく変換の処理を行う例を示したが、これに限らず、ＣＭＹＫ、ＣＩＥＬＡＢ、ＨＶＳ、ＹＣｒＣｂ等の別の色空間に基づく変換の処理を行うようにしても良い。この場合、ＣＭＹＫは、輝度情報及び色情報が混在するので、ＲＧＢと同様の処理を行えばよく、ＣＩＥＬＡＢは、輝度情報及び色情報が分離するので、輝度をベースにしてＫ信号に変換する処理を行い、色情報をベースにしてＣＭＹに変換するようにする。
【０１０１】
また、上述した実施の形態では、画像処理装置２０は、設定色情報であるＲ’Ｇ’Ｂ’信号が予め外部記憶装置３４に記憶してある例を示したが、これに限らず、画像処理装置２０の操作部を介してユーザが希望するＲ’Ｇ’Ｂ’信号の値を受け付けて、外部記憶装置３４へ記憶するようにしても良い。
【図面の簡単な説明】
【０１０２】
【図１】本発明に係る画像形成装置の構成を説明するブロック図である。
【図２】本発明に係る画像処理装置が備える領域分離処理部の構成を説明するブロック図である。
【図３】領域分離処理部が備える総合判定器の判定基準の一例を示す概念図である。
【図４】本発明に係る画像処理装置が備える２色変換部の構成を説明するブロック図である。
【図５】本発明に係る画像処理装置の変換処理の手順を説明するフローチャートである。
【図６】文字判定処理の手順を説明するフローチャートである。
【図７】カラー判定処理の手順を説明するフローチャートである。
【図８】白黒変換処理の手順を説明するフローチャートである。
【図９】カラー変換処理の手順を説明するフローチャートである。
【符号の説明】
【０１０３】
２０  画像処理装置
２１  Ａ／Ｄ変換部
２２  シェーディング補正部
２３  入力階調補正部
２４  領域分離処理部
２４１  文字エッジ判定器
２４２  有彩無彩色判定器
２４３  網点判定器
２４４  総合判定器
２５  画像圧縮処理部
２６  画像伸長処理部
２７  空間フィルタ処理部
２８  変倍処理部
２９  色補正部
３０  ２色変換部
３０１  文字判定器
３０２  カラー判定器
３０３  白黒変換器
３０４  カラー変換器
３０５  信号選択器
３１  黒生成下色除去部
３２  出力階調補正部
３３  階調再現処理部
【図１】
2008022357.tif 000003
【図２】
2008022357.tif 000004
【図３】
2008022357.tif 000005
【図４】
2008022357.tif 000006
【図５】
2008022357.tif 000007
【図６】
2008022357.tif 000008
【図７】
2008022357.tif 000009
【図８】
2008022357.tif 000010
【図９】
2008022357.tif 000011